(57)【要約】【課題】波長多重伝送システム及び波長多重伝送制御方法に関し、送受信装置の重要度等に応じて最適波長を割り当てる。【解決手段】一方と他方との複数の送受信装置１０−１〜１０−４，２０−１〜２０−４間を、合分波器１２，２２を介して共通の光伝送路１５により接続して、波長多重化した光信号を伝送する波長多重化伝送システム及び伝送制御方法であって、送受信装置対応の受信波長を選択設定可能の波長可変フィルタ１１−１〜１１−４，２１−１〜２１−４と、波長選択された光信号の特性を判定する判定部と、送受信装置対応の波長を選択設定可能の波長可変発光部と、一方と他方との複数の送受信装置の中の順次選択した組の送受信装置間で送受信光信号波長の設定制御開始の指示を行い、判定部により受信光信号の特性が所望の場合の送受信装置対応の送信光信号波長の情報を登録する波長設定テーブルを有する制御装置とにより、最適波長を順次割り当てる。【選択図】図１
2010213218.tif 000002
【特許請求の範囲】
【請求項１】
一方の複数の送受信装置と他方の複数の送受信装置との間を、合分波器を介して共通の光伝送路により接続し、前記一方の送受信装置対応の波長の光信号を前記合分波器により合波した波長多重化信号を、前記光伝送路を介して送信し、該波長多重化信号を前記合分波器により波長対応に分波して前記他方の送受信装置により受信する波長多重化伝送システムに於いて、
前記送受信装置対応の少なくとも受信波長を選択設定可能の波長可変フィルタと、
該波長可変フィルタにより選択された波長の受信光信号の特性を判定する判定部と、
前記送受信装置対応の送信光信号の波長を選択設定可能の波長可変発光部と、
前記一方と他方との複数の送受信装置の中の順次選択した組の送受信装置間で送受信光信号波長の設定制御開始の指示を行い、前記判定部により前記受信光信号の特性が所望の場合の前記送受信装置対応の送信光信号波長の情報を登録する波長設定テーブルを有する制御装置とを備えた
ことを特徴とする波長多重化伝送システム。
【請求項２】
前記送受信装置は、波長可変発光部と、該波長可変発光部の発光波長を指示する波長可変指示部と、前記波長可変フィルタを介して受信した光信号を電気信号に変換する受光部と、該受光部による前記設定制御開始による受信光信号が所望の特性か否かを判定した結果を前記波長可変指示部に通知する光特性判定部とを備えたことを特徴とする請求項１記載の波長多重化伝送システム。
【請求項３】
一方の複数の送受信装置と他方の複数の送受信装置との間を、合分波器を介して共通の光伝送路により接続し、前記一方の送受信装置対応の波長の光信号を前記合分波器により合波した波長多重化信号を、前記光伝送路を介して送信し、該波長多重化信号を前記合分波器により波長対応に分波して前記他方の送受信装置により受信する波長多重伝送制御方法に於いて、
前記送受信装置対応の少なくとも受信波長を選択設定可能の波長可変フィルタと、該波長可変フィルタにより選択された波長の受信光信号の特性を判定する判定部と、前記送受信装置対応の送信光信号の波長を選択設定可能の波長可変発光部とを含み、前記一方と他方との複数の送受信装置の中の各組を順次選択し、選択された組の送受信装置間で送受信光信号波長の設定制御を開始し、前記判定部により前記受信光信号の特性が所望の特性となるまで順次前記光信号波長を変更する制御過程を含む
ことを特徴とする波長多重伝送制御方法。
【発明の詳細な説明】
【技術分野】
【０００１】
本発明は、送受信装置間の光信号の伝送特性等に従ってデータ伝送用の波長を選択設定し、複数の送受信装置間でそれぞれ異なる波長に選択設定した光信号を多重化して送信し、受信した多重化信号を光フィルタにより選択して受信処理する波長多重化伝送システム及び波長多重化伝送制御方法に関する。
【背景技術】
【０００２】
複数の送受信装置対応にそれぞれ異なる波長を割当てて、１本の光ファイバからなる光伝送路により波長多重化信号として伝送する波長多重化伝送システムは、既に各種提案され、且つ実用化されている。図４は、従来例の比較的簡易な構成の波長多重化伝送システムの要部説明図であり、複数の送信装置１０１−１〜１０１−４と複数の受信装置１０７−１〜１０７−１との間を、合波器１０２と送信光増幅器１０３と光伝送路１０４と受信増幅器１０５と分波器１０４とを介して接続し、システム立上げ時に、例えば、送信装置１０１−１と受信装置１０７−１との間は波長λ１、送信装置１０１−２と受信装置１０７−２との間は波長λ２、送信装置１０１−３と受信装置１０７−３との間は波長λ３、送信装置１０１−４と受信装置１０７−４との間は波長λ４とするように、それぞれ送受信の光信号波長を設定し、各送信装置１０１−１〜１０１−４のそれぞれ波長λ１〜λ４の光信号を合波器１０２により合波し、多重化した波長λ１〜λ４の光信号を送信光増幅器１０３によりそれぞれ同一光信号レベルとなるように増幅して光伝送路１０４により伝送する。受信側では、受信光増幅器１０５により増幅し、波長選択フィルタ特性を有する分波器１０６により波長λ１〜λ４の光信号に分波し、受信装置１０７−１〜１０７−４にそれぞれ入力して受信処理する。
【０００３】
このような構成により、複数の送信装置１０１−１〜１０１−４からそれぞれ対応する受信装置１０７−１〜１０７−４に対して１本の光伝送路１０４によって波長多重伝送を行うことができる。なお、伝送距離が短い場合や、送信装置１０１−１〜１０１−４から光信号を送信する為の発光素子の光出力レベルが高い場合は、送信光増幅器１０３や受信光増幅器１０５を省略することもできる。又送信装置１０１−１〜１０１−４側にも受信装置を複数設け、又受信装置１０７−１〜１０７−４側にも送信装置を複数設けて、相互に波長多重化光信号により送受信するシステムとすることも可能である。
【０００４】
又複数の送受信装置間で光パケット信号の送受信を波長多重化により行うシステムに於いて、送信元アドレスと送信先アドレスとを含むヘッダ部は、予め設定した共通の波長の光信号として衝突しないように制御して送信し、データ部は、送受信装置対応にそれぞれ割当てた波長の光信号とした光パケット信号を多重化して送信し、特定波長のヘッダ部を分波して、自送受信装置宛パケット信号か否かを送信先アドレスにより判定し、自送受信装置宛のパケット信号については、その送信元をヘッダ部の送信元アドレスにより識別し、可変波長フィルタにより、送信元の送受信装置に割当てた波長のデータ部を、波長選択手段により選択受信処理する光波長多重化伝送システムが提案されている（例えば、特許文献１参照）。
【０００５】
又波長多重化信号から所望の波長の光信号を選択分離するフィルタとして、波長多重化信号を回析格子型分波器の一方から入力し、他方から波長対応に分波された光信号を出力する構成が知られており、更に、波長対応の分波出力の中から所望の波長の光信号を他の波長対応の分波出力側に折り返し入力することにより、所望の波長の光信号のみを分波することができ、その場合の複数の折り返し入力端を、光スイッチと光サーキュレータ等により選択切替え可能として、波長多重化信号から所望の波長の光信号を分波する構成が提案されている（例えば、特許文献２参照）。
【０００６】
又波長多重化伝送システムに於いて、波長多重化信号から所望の波長の光信号を選択分離する為の光波長可変フィルタが用いられるもので、その光波長可変フィルタとして、印加高周波信号の周波数に応じて選択波長を変更可能とした音響光学チューナブルフィルタ（ＡＯＴＦ；Ａｃｏｕｓｔｏ−Ｏｐｔｉｃａｌ  Ｔｕｎａｂｌｅ  Ｆｉｌｔｅｒ）が知られている（例えば、特許文献３及び特許文献４参照）。又前述の波長多重化伝送とは異なるが、複数の端末対応に、光波長を変更制御可能とした電光変換部を備えて、制御部によりそれぞれの発光波長を、端末対応の所定のパターンに従ってホッピング制御して拡散符号化し、且つそのパターンと異なる他の端末対応のパターンに従ってホッピング制御して拡散符号化し、それぞれの光信号を多重化して送信し、受信側では、多重化信号を受信端末対応に分波器により分岐し、端末対応のホッピングパターンに従って光波長可変フィルタを制御して、逆拡散符号化により復号化し、光電変換により受信処理する波長多重化伝送システムも知られている（例えば、特許文献５参照）。
【特許文献１】特開平６−３５０６４６号公報
【特許文献２】特開平１１−１１９１７３号公報
【特許文献３】特開平１１−２７５０２０号公報
【特許文献４】特開平１１−２８９２９６号公報
【特許文献５】特開２００３−２０９５３３号公報
【発明の開示】
【発明が解決しようとする課題】
【０００７】
波長多重数を多くし、且つ長距離伝送を行う波長多重化伝送システムは、多重数に対応した発光素子のそれぞれの発光波長の安定度を高くし、それぞれの発光波長の間隔を狭く設定することにより多重度を高くするものであり、又波長多重化信号から各光信号を分離する選択光フィルタも波長間隔の狭い波長多重化光信号から所望の波長の光信号を分離する為の高精度の構成を適用することになる。又長距離伝送に於いては、光信号は光ファイバの伝送特性に対応して減衰や波長分散が発生するから、これらを補償する手段を設ける必要がある。従って、システムコストが非常に高くなる。しかし、このような光信号の波長多重数が多くなく、且つ伝送距離もそれほど長距離でない場合は、比較的簡単なシステム構成でも、光信号の多重化伝送を行うことが可能である。又複数の送受信装置間で送受信する情報の重要度や伝送量等がそれぞれ相違する場合、総て均等な伝送条件を必要としない場合が多い。しかし、従来は、このような場合の波長多重化伝送システムを構築した場合、送受信装置間の伝送情報の重要度、伝送量、伝送速度等の伝送特性要求に従った構成ではなく、任意に波長等を割当てる構成が殆どである。又前述の特許文献１〜５に於いても、このような点を考慮した構成について、問題点の提起もなく、且つ解決手段も開示されていない。
【０００８】
本発明は、前述のように、比較的簡単な波長多重化により各種の情報を伝送するシステムに於いて、重要度や伝送情報量等の要求内容に対応した順に、要求内容に最適となる光信号の波長割当ての設定を可能とすることを目的とする。
【課題を解決するための手段】
【０００９】
本発明の波長多重化伝送システムは、一方の複数の送受信装置と他方の複数の送受信装置との間を、合分波器を介して共通の光伝送路により接続し、前記一方の送受信装置対応の波長の光信号を前記合分波器により合波した波長多重化信号を、前記光伝送路を介して送信し、該波長多重化信号を前記合分波器により波長対応に分波して前記他方の送受信装置により受信する波長多重化伝送システムであって、送受信装置対応の少なくとも受信波長を選択設定可能の波長可変フィルタと、この波長可変フィルタにより選択された波長の受信光信号の特性を判定する判定部と、前記送受信装置対応の送信光信号の波長を選択設定可能の波長可変発光部と、前記一方と他方との複数の送受信装置の中の順次選択した組の送受信装置間で送受信光信号波長の設定制御開始の指示を行い、前記判定部により前記受信光信号の特性が所望の場合の前記送受信装置対応の送信光信号波長の情報を登録する波長設定テーブルを有する制御装置とを備えている。
【００１０】
又前記送受信装置は、波長可変発光部と、この波長可変発光部の発光波長を指示する波長可変指示部と、波長可変フィルタを介して受信した光信号を電気信号に変換する受光部と、この受光部による前記設定制御開始による受信光信号が所望の特性か否かを判定した結果を前記波長可変指示部に通知する光特性判定部とを備えている。
【００１１】
又本発明の波長多重伝送制御方法は、一方の複数の送受信装置と他方の複数の送受信装置との間を、合分波器を介して共通の光伝送路により接続し、一方の送受信装置対応の波長の光信号を合分波器により合波した波長多重化信号を、光伝送路を介して送信し、この波長多重化信号を合分波器により波長対応に分波して、他方の送受信装置により受信する波長多重伝送制御方法であって、送受信装置対応の少なくとも受信波長を選択設定可能の波長可変フィルタと、この波長可変フィルタにより選択された波長の受信光信号の特性を判定する判定部と、送受信装置対応の送信光信号の波長を選択設定可能の波長可変発光部とを含み、前記一方と他方との複数の送受信装置の中の各組を順次選択し、選択された組の送受信装置間で送受信光信号波長の設定制御を開始し、前記判定部により受信光信号の特性が所望の特性となるまで順次前記光信号波長を変更する制御過程を含むものである。
【発明の効果】
【００１２】
波長多重により一方と他方との複数の送受信装置間でそれぞれ送受信する情報内容や伝送速度がそれぞれ相違する場合に、光伝送路の特性は総ての光信号波長に対して完全な平坦特性ではないから、重要度や伝送情報量等の要求内容に対応した順に、送信光信号波長を順次設定することにより、最適波長設定を順次行うことができ、要求内容に最適となる光信号の波長割当ての設定を行うことができる。それにより、システム運用をコストアップすることなく最適化することが可能となる。
【図面の簡単な説明】
【００１３】
【図１】本発明の実施例１の説明図である。
【図２】本発明の実施例１の送受信装置の要部ブロック図である。
【図３】本発明の実施例１の光波長選定のフローチャートである。
【図４】従来例の要部説明図である。
【発明を実施するための形態】
【００１４】
本発明の波長多重化伝送システムは、図１を参照して説明すると、一方の複数の送受信装置１０−１〜１０−４と他方の複数の送受信装置２０−１〜２０−４との間を、合分波器１２，２２を介して共通の光伝送路１５により接続し、一方の送受信装置１０−１〜１０−４対応の波長の光信号を合分波器１２により合波した波長多重化信号を、光伝送路１５を介して送信し、この波長多重化信号を合分波器２２により波長対応に分波して他方の送受信装置２０−１〜２０−４により受信する波長多重化伝送システムであって、送受信装置１０−１〜１０−４，２０−１〜２０−４対応の少なくとも受信波長を選択設定可能の波長可変フィルタ１１−１〜１１−４，２１−１〜２１−４と、この波長可変フィルタにより選択された波長の受信光信号の特性を判定する判定部と、送受信装置対応の送信光信号の波長を選択設定可能の波長可変発光部と、一方と他方との複数の送受信装置の中の順次選択した組の送受信装置間で送受信光信号波長の設定制御開始の指示を行い、前記判定部により受信光信号の特性が所望の場合の送受信装置対応の送信光信号波長の情報を登録する波長設定テーブルを有する制御装置とを備えている。
【００１５】
本発明の波長多重伝送制御方法は、一方の複数の送受信装置１０−１〜１０−４と他方の複数の送受信装置２０−１〜２０−４との間を、合分波器１２，２２を介して共通の光伝送路１５により接続し、一方の送受信装置対応の波長の光信号を合分波器により合波した波長多重化信号を、光伝送路１５を介して送信し、この波長多重化信号を合分波器により波長対応に分波して、他方の送受信装置により受信する波長多重伝送制御方法であって、送受信装置対応の少なくとも受信波長を選択設定可能の波長可変フィルタ１１−１〜１１−４，２１−１〜２１−４と、この波長可変フィルタにより選択された波長の受信光信号の特性を判定する判定部と、送受信装置対応の送信光信号の波長を選択設定可能の波長可変発光部とを含み、前記一方と他方との複数の送受信装置の中の各組を順次選択し、選択された組の送受信装置間で送受信光信号波長の設定制御を開始し、前記判定部により受信光信号の特性が所望の特性となるまで順次前記光信号波長を変更する制御過程を含むものである。
【実施例１】
【００１６】
図１は、本発明の実施例１の説明図であり、１０−１〜１０−４，２０−１〜２０−４は送受信装置、１１−１〜１１−４，２１−１〜２１−４は可変波長フィルタ、１２，２２は合分波器、１３，２３は制御装置、１４，２４は設定した送信光信号の波長情報を記録する設定波長テーブル、１５は光伝送路を示す。この光伝送路１５は、１本の光ファイバ線路により両方向の光信号の伝送を行う場合を示すが、一方から他方へ及び他方から一方へのそれぞれ一方向伝送を行うように、２本の光ファイバ線路を設けた構成とすることも可能であり、その場合は、合分波器１２，２２は、送信側の合波器と受信側の分波器とにより構成することになる。
【００１７】
又可変波長フィルタ１１−１〜１１−４，２１−１〜２１−４は、前述のように、音響光学チューナブルフィルタや、回析格子型、マッハツェンダ型等の既に知られている各種の可変波長フィルタを適用することができる。これらの可変波長フィルタ１１−１〜１１−４，２１−１〜２１−４は、少なくとも受信光信号を選択できるように、光信号の選択通過波長を制御可能の構成とするもので、制御装置１３，２３により通過波長の設定制御を行う構成又は送受信装置１０−１〜１０−４，２０−１〜２０−４により設定制御する構成とする。なお、送信光信号は、受信側で選択受信が可能であるから、送信側のフィルタ機能を省略した構成とすることも可能である。又長距離伝送を行う場合は、送信光増幅器や受信光増幅器を設けることも可能であり、又光ファイバの分散特性を補償する構成を付加することも可能である。
【００１８】
又制御装置１３，２３は、送受信装置１０−１〜１０−４，２０−１〜２０−４の送信光信号波長を決定する初期設定制御を行い、その設定結果を設定波長テーブル１４，２４に記録し、同一波長の光信号を複数の送受信装置に重複して設定されないように制御すると共に、可変波長フィルタ１１−１〜１１−４，２１−１〜２１−４の通過波長の設定制御を行う。又制御装置１３，２３間で、合分波器１２，２２と伝送路１５とを介して各種連絡情報の送受信を行う構成を備えている。なお、波長多重化信号として各種連絡情報を光信号に変換して送受信する構成の代わりに、電気信号により図示を省略した伝送ネットワークを介して送受信する構成とすることも可能である。
【００１９】
又送受信装置１０−１〜１０−４，２０−１〜２０−４の送信光信号の波長を決定する為の初期設定は、伝送情報の重要度が最高の送受信装置から、又は伝送速度が最高の送受信装置から順に行うもので、これらの優先順位については、送受信装置１０−１〜１０−４，２０−１〜２０−４側から制御装置１３，２３に登録しておき、システム立上げ時に、優先順位の高い送受信装置を指定して初期設定制御を開始させ、他の送受信装置は総て送受信動作を停止させる。例えば、送受信装置１０−１，２０−１の優先順位が最も高い場合、制御装置１３，２３は、それらの送受信装置１０−１，２０−１を指定し、例えば、送受信装置１０−１から初期設定用のテストデータを波長λ０〜λｎの中の最適と考えられる例えば波長λ０を制御装置１３から指定して、送受信装置１０−１の発光波長の制御を行わせ、且つ制御装置２３に送受信装置１０−１，２０−１間の初期設定を最初に波長λ０から開始することを通知する。制御装置２３は、この通知に従って可変波長フィルタ２１−１の通過波長をλ０に設定制御し、且つ送受信装置２０−１に初期設定の開始を通知する。
【００２０】
送受信装置１０−１は、指定された波長λ０の光信号により初期設定用にテストデータを送信し、可変波長フィルタ１１−１、合分波器１２、光伝送路１５、合分波器２２、可変長フィルタ１２−１を介して送受信装置２０−１が受信し、光信号の受信レベルが閾値以上であるか否かを判定し、且つテストデータの受信エラーがないか否かを判定し、その判定結果を制御装置２３に通知する。制御装置２３は、その判定結果を、合分波器２２、光伝送路１５、合分波器１２を介して制御装置１３へ通知する。その場合の判定結果が何れも良であれば、制御装置２３は、設定波長テーブル２４の送受信装置２０−１対応領域に受信光信号の波長がλ０であることを設定登録し、制御装置１３は、制御装置２３からの通知に従って、送受信装置１０−１の送信光信号の波長をλ０に設定するように通知し、設定波長テーブル１４に、送受信装置１０−１対応の領域に送信光信号の波長λ０を登録する。
【００２１】
又前述の初期設定制御に於ける送受信装置２０−１に於いて、光信号の受信レベルが閾値以下の場合又はテストデータの受信エラー有りの判定の場合、その判定結果を制御装置２３に通知し、この判定結果を制御装置２３から制御装置１３へ通知する。制御装置１３は、送受信装置１０−１に次の波長例えばλ１によりテストデータを送信するように指示し、制御装置２３にも通知する。制御装置２３は送受信装置２０−１に波長λ１によるテストデータ送信を通知すると共に、可変長フィルタ２１−１の通過波長をλ１となるように制御する。そして、制御装置１３は、送受信装置１０−１から波長λ１のテストデータを送信させる。送受信装置２０−１は、この波長λ１のテストデータを受信して、受信レベルが閾値以上であるか否か及びテストデータのエラーの有無を判定し、その判定結果を制御装置２３に通知する。
【００２２】
この場合に、送受信装置２０−１に於ける波長λ１によるテストデータの受信結果の判定が良の場合、前述のように、制御装置２３は、設定波長テーブル２４の送受信装置２０−１対応領域に受信光信号の波長がλ１であることを設定し、同様に、制御装置１３は、制御装置２３からの通知に従って、設定波長テーブル１４の送受信装置１０−１対応領域に送信光信号の波長がλ１であることを設定し、次に、送受信装置２０−１の送信光信号の波長の設定制御に移行し、送受信装置１０−１が受信側となって、光信号の受信レベルが閾値以上であるか否か及びテストデータのエラーの有無を判定し、両方共良の場合は、その時の送受信装置２０−１の送信光信号の波長を設定波長テーブル１４，２４にそれぞれ登録し、何れか一方でも不良の場合は、他の波長に変更して再度同様な処理を行う。前述の送信側と受信側との間の波長初期設定処理に於ける送信側と受信側とは、図示していない監視回線等を利用して連絡する構成とすることも可能である。
【００２３】
図２は、送受信装置１０−１〜１０−４，２０−１〜２０−４の要部の機能を示すブロック図であり、３１は波長可変発光部、３２は受光部、３３は送信フレーム処理部、３４は波長可変指示部、３５は受信フレーム処理部、３６は光特性測定部、３７は光特性判定部を示す。波長可変発光部３１は、波長可変指示部３４からの指示に従った波長の光信号を出力する半導体レーザ等により構成する。初期設定処理が完了した後は、図示を省略した送信データ処理部からの送信データを送信フレーム処理部３３に入力して、送信フレームを形成し、波長可変指示部３４により発光波長が決定された波長可変発光部３１により光信号に変換して送信する。又受光部３２はフォトダイオード等により構成し、受信光信号を電気信号に変換し、受信フレーム処理部３５により受信処理し、図示を省略した受信データ処理部へ転送する。
【００２４】
初期設定処理は、図示を省略した制御処理部又は図１に於ける制御装置１３，２３により波長可変指示部３４に対して初期光信号波長を指示し、波長可変指示部３４は、送信フレーム処理部３３にテストデータを含む送信フレーム生成を指示し、波長可変発光部３１に初期光信号波長を指示する。それにより、波長可変発光部３１から初期光信号波長のテストデータを含む送信フレームを送信する。受信側では、受光部３２により初期光信号を電気信号に変換し、受信フレーム処理部３５と光特性測定部３６とに転送する。光特性測定部３６は、受光部３２からの電気信号のレベルが光信号の受信レベルと対応することにより、光信号の受信レベル測定値として光特性判定部３７に転送する。光特性判定部３７は、安定受信処理が可能の最低の受信レベルを閾値として設定し、受信レベル測定値が閾値を超えているか否かを判定し、判定結果を波長可変指示部３４に通知する。又受信フレーム処理部３５は、受信フレームのテストデータが正常に受信できたか否かを判定し、判定結果を波長可変指示部３４と送信フレーム処理部３３とに通知する。
【００２５】
受信レベルが閾値以下又はテストデータの受信誤りがある場合は、波長可変指示部３４に通知する。波長可変指示部３４は、送信フレーム処理部３３に受信レベル閾値以下又は受信誤り発生の情報を送信側に通知するように指示する。送信フレーム処理部３３は、今回の光波長は不適切であることを、送信フレームにより送信側へ光信号に変換して通知する。この通知を、受光部３２により受信して受信フレーム処理部３５へ転送し、受信フレーム処理部３５は、波長可変指示部３４に前回の送信フレームの光波長は不適切であったことを通知する。波長可変指示部３４は、波長可変発光部３１に対して、前回と異なる光波長で送信するように指示し、送信フレーム処理部３３に対して、前回と同様のテストデータを含む送信フレーム生成を指示する。それにより、２回目のテストデータを含む送信フレームが前回と異なる光波長の光信号として送信される。このような処理を繰り返すことにより、最適な光波長が選択されて、安定なデータ通信が可能となり、制御装置１３，２３の設定波長テーブル１４，２４に、送受信装置対応の波長について登録し、重複した波長設定が生じないようにすることができる。
【００２６】
図３は、本発明の実施例１の光波長初期設定のフローチャートを示し、光出力開始のステップ（Ｓ１）と、波長変更のステップ（Ｓ６）と、波長設定のステップ（Ｓ４）とは、送信側の処理ステップであり、又光受信のステップ（Ｓ２）と、受信レベル測定のステップ（Ｓ３）と、波長変更閾値設定のステップ（Ｓ５）とは受信側の処理ステップである。先ず、送信側では、波長可変発光部３１を、波長可変指示部３４により初期設定最初の波長を設定し、送信フレーム処理部３３から送信予定伝送速度に従ったテストデータを含む送信フレームを形成して、波長可変発光部３１により光信号に変換して送出する（Ｓ１）。受信側では、ステップ（Ｓ５）により波長変更閾値を光特性判定部３７に設定し、送信側からの光信号を受光部３２により受信して電気信号に変換し、受信フレーム処理部３５に於いてテストデータのエラーの有無を判定し（Ｓ２）、エラー検出時は、波長可変指示部３４に通知して、送信フレーム処理部３３と波長可変発光部３１とにより、波長変更指示を送信側へ通知する。又光特性測定部３６により受光部３２による受信レベルを測定し、光特性判定部３７により波長変更閾値と比較し、受信レベルが閾値以下か否かを判定する。
【００２７】
光受信のステップ（Ｓ２）により、エラーなしで、且つ受信レベル測定のステップ（Ｓ３）により閾値以上の場合は、所望の光波長が設定されたと判定し、波長可変発光部３１の発光波長を決定する。又受信フレームにエラーあり、又は受信レベルが閾値以下の場合の何れか一方又は両方の場合、送信フレーム処理部３３から送信側に対する波長変更指示情報を送信する。送信側の受信フレーム処理部３５により波長変更指示情報を識別すると、波長可変指示部３４に通知し、波長可変指示部３４から波長可変発光部３１の発光波長を他の波長に変更するように指示し、前述の光波長初期設定の処理を繰り返す。それによって、波長多重化伝送システムに於ける重要な度合いの応じた優先順位に従って、順次最適な波長設定を行うことができ、決定した波長については、制御装置１３，２３の波長設定テーブル１４，２４に設定し、同一波長が重複して設定されないように制御することができる。この光波長初期設定処理終了により、送受信装置１０−１〜１０−４と送受信装置２０−１〜２０−４との間で、波長多重化伝送を行う。なお、定期的に現時点の光波長が適切であるか否かのテストを実行して、光波長の変更制御を行うことも可能である。
【符号の説明】
【００２８】
１０−１〜１０−４，２０−１〜２０−４  送受信装置
１１−１〜１１−４，２１−１〜２１−４  可変波長フィルタ
１２，２２  合分波器
１３，２３  制御装置
１４、２４  波長設定テーブル
１５  光伝送路
３１  波長可変発光部
３２  受光部
３３  送信フレーム処理部
３４  波長可変指示部
３５  受信フレーム処理部
３６  光特性測定部
３７  光特性判定部
【図１】
2010213218.tif 000003
【図２】
2010213218.tif 000004
【図３】
2010213218.tif 000005
【図４】
2010213218.tif 000006